(57)【要約】【課題】異なる外径の複数の記録媒体ディスクと、それ収容する複数サイズのカートリッジとの間に一定以上の距離を確保して両者が接触しないようにし、かつ各カートリッジの装填を容易にする。【解決手段】異なる外径の複数の記録媒体ディスクを収容する複数サイズのディスク・カートリッジを所望により選択して記録再生部本体に装填でき、カートリッジに収容されたディスクの記録再生を行う記録再生装置であって、複数のカートリッジは、各カートリッジが、ディスクの外径に対応する位置決め孔を有し、厚みを小さい外径のディスクを収容するものほど大きくした複数のカートリッジの組み合せからなり、記録再生部本体は、ディスクを回転駆動させる回転軸と、高さを異にし、かつ高い方を装填側から遠方に配置し、ディスクの外径に対応する前記位置決め孔のみにそれぞれ嵌入可能な複数の位置決めピンを有しディスクの高さを前記回転軸に係合可能に一定に維持するカートリッジ支持部とを備える記録再生装置を用いる。【選択図】図２
2005174463.tif 000002
【特許請求の範囲】
【請求項１】
異なる外径の複数の記録媒体ディスクを収容する複数サイズのディスク・カートリッジを所望により選択して記録再生部本体に装填でき、カートリッジに収容されたディスクの記録再生を行う記録再生装置であって、
複数のカートリッジは、各カートリッジが、ディスクの外径に対応する位置決め孔を有し、厚みを小さい外径のディスクを収容するものほど大きくした複数のカートリッジの組み合せからなり、
記録再生部本体は、ディスクを回転駆動させる回転軸と、高さを異にし、かつ高い方を装填側から遠方に配置し、ディスクの外径に対応する前記位置決め孔のみにそれぞれ嵌入可能な複数の位置決めピンを有しディスクの高さを前記回転軸に係合可能に一定に維持するカートリッジ支持部とを備える記録再生装置。
【請求項２】
カートリッジ支持部は、高さを異にし、かつ高い方を装填側から遠方に配置し、ディスクの外径に対応するカートリッジのみをそれぞれ載置支持可能な複数の支持ピンをさらに備え、これによってカートリッジを水平に維持する請求項１記載の記録再生装置。
【請求項３】
記録再生部本体は、複数サイズのディスク・カートリッジを挿入するための開口を有する挿入部をさらに備え、
この挿入部の開口が、最も大きいカートリッジが挿入できる開口幅と最も大きいカートリッジが挿入できるがそれよりも小さいカートリッジが挿入できない開口高さとを有し、かつ最も大きいカートリッジより小さいカートリッジが開口中央でそれぞれ挿入できる高さ方向の凹段部を有し、開口の上下縁のいずれか一方または両方が開口中央に対して左右対称な階段状に形成されてなる請求項１または２記載の記録再生装置。
【請求項４】
記録再生部本体は、複数サイズのディスク・カートリッジを少なくともディスクと平行な表面側もしくは裏面側の一方または両側から支持する支持部材をさらに備え、
この支持部材が、各サイズのカートリッジ外形に対応した凹部を持つように形成され、
各サイズのカートリッジが、その装填時にカートリッジ内部のディスクと回転軸とを係合させるように前記凹部によって案内あるいは位置決めされる請求項１〜３のいずれか１つに記載の記録再生装置。
【請求項５】
前記複数サイズが、大小１対のサイズである請求項１〜４の何れか１つに記載の記録再生装置。
【請求項６】
異なる外径の複数の記録媒体ディスクを収容し、所望により選択されて記録再生装置の記録再生部本体に装填される複数サイズのディスク・カートリッジの組み合せであって、
各カートリッジが、厚みを小さい外径のディスクを収容するものほど大きくし、記録再生部本体に設けられる、高さを異にし、かつ高い方を装填側から遠方に配置したディスクの外径に対応する位置決めピンのみに嵌合し、それらによってディスクの高さを記録再生部本体に設けられる回転軸に係合可能に一定に維持可能な位置決め孔を有する複数サイズのカートリッジの組み合せ。
【発明の詳細な説明】
【技術分野】
【０００１】
この発明は、ディスク・カートリッジおよびその記録再生装置に関するものである。特に、異なった外径のディスク状記録媒体を収容するカートリッジを装填して、ディスク状記録媒体の記録あるいは再生を行う記録再生装置および、それに用いるカートリッジの組み合せに関する。
【背景技術】
【０００２】
従来から音楽信号や映像信号等の情報信号の記録を可能となすディスク状記録媒体として光ディスクが提案されている。この種のディスクは、信号記録面に塵芥や手指の汚れが付着したり、僅かでも傷が付いたりしてしまうと、情報信号の記録再生を行うことができなくなってしまう恐れがある。
【０００３】
特に光磁気ディスク等の記録再生型ディスクは、塵芥や手指の汚れが付着することによって、あるいは傷によって読み取り不良が増えるため、これらを防止し、取り扱いの簡便化を図るため、保護用収容筺体としてのディスク・カートリッジに収容されることが通例である。そして、ディスク・カートリッジに収容された光ディスクは、上記ディスク・カートリッジに収容されたまま記録再生装置に装填され、記録再生型ディスクはしかるべきディスク・カートリッジに設けられた開放孔から中心部および記録部が記録再生装置内で露出され、記録再生装置に設けられた回転機構により、上記カートリッジ本体内で回転操作される。
【０００４】
記録再生の際、記録再生装置内で該カートリッジの位置決めを行う場合に、台座上にピンをつけたような形状の位置決めピンを設け、記録再生装置内におけるカートリッジの位置を確定させることによって、光ディスクの中心と記録再生部の回転軸の中心、さらには光ディスクの高さと記録再生部の読取装置（ピックアップ）との高さ位置を確定させている。
【０００５】
しかしながら、大小異なった径の外径をもつ光ディスクの場合には、通常カートリッジの大きさも異なり、これを単一の記録再生装置によって記録再生する場合には、各々の大きさのディスクの中心が記録再生部の回転機構（スピンドル）の中心と合致するように、それぞれの大カートリッジに合った位置決めピンとその内側に小カートリッジにあった位置決めピンを記録再生部にそれぞれ設置する必要がある。
【０００６】
単に位置を異にした位置に位置決めピンを取り付けた場合には、カートリッジ底面を基準とすると、大カートリッジと小カートリッジ用の位置決めピンが干渉してしまい、さらに、大カートリッジにうねりが存在した場合には、該位置決めピンとの干渉が増大される傾向があった。
【０００７】
このような問題に鑑み、大カートリッジを装填したときに小カートリッジに合う位置決めピンが干渉しないように小カートリッジ用の位置決めピンを低くすることも提案されている（例えば、特許文献１参照）。
【特許文献１】特開平−８−１６７２１５号公報
【発明の開示】
【発明が解決しようとする課題】
【０００８】
しかしながら、従来の記録再生装置では、小カートリッジ底面の基準面が大カートリッジよりも下方になるため、従来の大カートリッジと同じ厚みの小カートリッジでは、小カートリッジ内で光ディスクとカートリッジ上面との空隙が小さくなり、光ディスクがカートリッジの上側裏面に衝突することがあった。
【０００９】
図９および図１０は、従来の技術を示す図である。外径１２０ｍｍの光ディスク（以下、大ディスクという）１０１を収容するカートリッジ（以下、大カートリッジという）１０２と外径８０ｍｍの光ディスク（以下、小ディスクという）１０３を収容するカートリッジ（以下、小カートリッジという）１０４をディスクの中心を一致させて示した平面図であり、大カートリッジ１０２を実線で示し、小カートリッジ１０４を想像線（二点鎖線）で示している。二つのカートリッジの重なりは、それらのカートリッジが記録再生装置に装填された状態と同じである。
【００１０】
図１０（ａ）、（ｂ）は前記各カートリッジ１０２および１０４が記録再生部１０５に装填された状態を示す断面図であり、記録再生部１０５のディスク回転軸１０９に大ディスク１０１および小ディスク１０３がそれぞれ嵌合した状態であり、図１の線Ｃ−Ｃ’の断面図である。記録再生部１０５に装填した大カートリッジ１０２および小カートリッジ１０４の高さ方向の位置関係を比較するために、小カートリッジ１０４の装填基準面高さを両図中の線Ｄ−Ｄ’で示している。
【００１１】
記録再生部１０５に大カートリッジ１０２を装填するためには、図示しないローディングメカによって装填位置まで案内された後、大カートリッジ用位置決めピン１０６によって、ディスク中心孔１０８が記録再生部の回転軸１０９と嵌合するように、大カートリッジ１０２は所定の位置に固定される。
この際、大カートリッジ１０２が、小カートリッジ用位置決めピン１０７と衝突してガタツキが発生することがあるため、小カートリッジ用位置決めピン１０７は大カートリッジ用位置決めピン１０６の高さよりも先端が低く設置されている。
【００１２】
通常、光ディスクなどのディスク状記録媒体では、ディスクのそりなどに起因する高さの変動があり、ディスクの高さ方向の変位（ディフラクション）が規定されている。
例えば、一般的に普及している１２０ｍｍＣＤは、ＪＩＳ Ｘ ０６０６によって、前記ディフラクションは±０．４ｍｍと規定されている。
小ディスク３が、例えば８０ｍｍの場合は半径方向の比例計算を行うと、±０．３ｍｍの前記ディフラクションが認められることになる。
厚さ１．２ｍｍの前記のようなディフラクションが規定された光ディスクをディスク・カートリッジに挿入した状態で使用した場合、大ディスク１０１ではディスク厚さ１．２ｍｍとディフラクションに対する余裕０．８ｍｍの和である２ｍｍ、小ディスク１０３の場合は同様に１．８ｍｍ以上の間隙がディスク・カートリッジ内部の収容部に必要となるが、記録再生部の回転軸との嵌合誤差やカートリッジをプラスチック成型加工した場合に生じるうねりなどを考慮して、通常はそれぞれ２．２〜２．４ｍｍまたは２〜２．２ｍｍ程度に製作される。
【００１３】
しかしながら、同一の記録再生装置でこれらの光ディスクを使用した場合、前記位置決めピン１０６及び１０７の位置が異なるが、記録再生部１０５の回転軸１０９高さが同じであるため、小ディスク１０３を記録再生部１０５に装填した場合には、小ディスク１０３のディスク１０３は位置決めピンの高さが異なった分だけ、ディスク・カートリッジ１０４の高さ方向の中心からズレる。このため、従来のディスク・カートリッジ１０４を使用した場合には、ディスク１０３とディスク・カートリッジ１０４上面とのクリアランスが小さくなり、ディスク１０３がディスク・カートリッジ１０４の内壁と衝突してしまう可能性が高くなる。
大カートリッジ１０２が記録再生部１０５に装填された状態では、大ディスク１０１の高さ公差を考慮しても、大ディスク１０１が前記ディフラクションの影響を受けた場合でも、大カートリッジ１０２の内面が衝突しないように、一定のクリアランスを設けた厚さの大カートリッジ１０２を使用している。
【００１４】
さらに、ディスクを交換するために、大カートリッジ１０２を記録再生部１０５から抜き去り、小カートリッジ１０４を同記録再生部１０５に装填する場合において、図示しないローディングメカによって装填位置に案内された後、小カートリッジ用位置決めピン１０７によってディスク中心孔１０８が記録再生部の回転軸１０９と嵌合するように、小カートリッジ１０４は所定の位置に固定される。
【００１５】
前述のように、小カートリッジ用位置決めピン１０７は、大カートリッジ用位置決めピン１０６よりも高さが低く設置してあるために、装填した状態での小カートリッジ１０４は、大カートリッジ１０２を装填した場合の基準面高さＣ−Ｃ’よりも低い位置に装填され、図９乃至１０に図示した従来の大カートリッジ１０２と同じ厚さで作られた小カートリッジ１０４を使用した場合では、小カートリッジ１０４と小ディスク１０３の間のクリアランスが少なくなり、小カートリッジ１０４の上側の内面と小ディスク１０３の上面は衝突する可能性が高くなる。
【００１６】
一般的なプラスチック成形加工で作製したディスク・カートリッジにはうねりが存在しており、このうねりを最小に設定した場合には小カートリッジ用位置決めピン１０７は若干量低く設定すれば、大カートリッジ１０２が小カートリッジ用位置決めピン１０７と衝突して、大カートリッジ１０２の位置が定まらないということはないであろう。
【００１７】
しかしながら、寸法精度を上げた場合には、カートリッジが高価なものになってしまう。従って、カートリッジを安価に製造するためには、多少のうねりを考慮した形状にして、大カートリッジ１０２が装填された場合にも大カートリッジ１０２が小カートリッジ用位置決めピン１０７と衝突しないように小カートリッジ用位置決めピン１０７の高さを設定する必要がある。
例えば、大カートリッジのうねり許容値を０．１ｍｍ程度とした場合には、小カートリッジ用位置決めピン１０７は大カートリッジ用位置決めピン１０６よりも０．１ｍｍ以上低くする必要があり、ディスクの大きさによって小さく制限された前記ディフラクションが小さくなった場合であっても、ディスク片面側で０．０５ｍｍしか許容できず、小カートリッジ１０４の上面も下面に従って０．１ｍｍ下がった場合には、小ディスク１０３と小カートリッジ１０４の上面内側とが衝突する可能性が発生する。
【００１８】
また、異なる外径のディスクが収容された異なるサイズのカートリッジを１種類の記録再生装置に挿入しようとした場合、サイズの小さいカートリッジ記録再生装置の開口部の幅方向の長さが異なるために、小カートリッジと記録再生装置との中心を合わせるのが困難であった。
【００１９】
図１１は、図９および図１０に示す、大カートリッジ１０２および小カートリッジ１０４を装填して使用する記録再生装置１２７、特に記録再生装置１２７が備える挿入部であるベゼル１２１の開口形状を示す斜視図である。図１１に図示される従来の記録再生装置では、開口部は大カートリッジ１０２が挿入できる幅と高さを持っており、そこに小カートリッジ１０４を挿入しようとした場合に、幅方向にずれて、図１１中には図示していない記録再生部の回転軸１０９と小ディスクの中心を合わせることが困難である。また、図１１に従来の記録再生装置に取り付けられているガイド１２２を図示している。図１１のガイド１２２は大カートリッジ１０２が挿入できる幅と高さを持っており、そこに小カートリッジ１０４を挿入しようとした場合に、幅方向にずれて、図１１中には図示していない記録再生部の回転軸１０９と小ディスクの中心を合わせることが困難であった。
【００２０】
この発明は、このような事情を考慮してなされたものであって、サイズごとに高さ方向に異なる位置にカートリッジが装填されても、カートリッジとディスクのクリアランスが確保できて、それらが衝突することのない記録再生装置と装置に装填されるディスク・カートリッジに関する。
【課題を解決するための手段】
【００２１】
この発明は、異なる外径の複数の記録媒体ディスクを収容する複数サイズのディスク・カートリッジを所望により選択して記録再生部本体に装填でき、カートリッジに収容されたディスクの記録再生を行う記録再生装置であって、複数のカートリッジは、各カートリッジが、ディスクの外径に対応する位置決め孔を有し、厚みを小さい外径のディスクを収容するものほど大きくした複数のカートリッジの組み合せからなり、記録再生部本体は、ディスクを回転駆動させる回転軸と、高さを異にし、かつ高い方を装填側から遠方に配置し、ディスクの外径に対応する前記位置決め孔のみにそれぞれ嵌入可能な複数の位置決めピンを有しディスクの高さを前記回転軸に係合可能に一定に維持するカートリッジ支持部とを備える記録再生装置を提供するものである。
【発明の効果】
【００２２】
この発明の記録再生装置は、複数の位置決めピンが、高さを異にし、かつ高い方を装填側から遠方に配置し、ディスクの外径に対応するカートリッジの位置決め孔のみにそれぞれ嵌入可能に設けられるので、ディスク外径に対応しない位置決めピンは、カートリッジと接触することなくカートリッジを正確に位置決めして支持することができる。
さらに、記録再生装置は、カートリッジ支持部が、ディスクの高さを回転軸に係合可能に一定に維持するが、装填される各カートリッジの厚みが、小さい外径のディスクを収容するものほど大きいので、サイズによって高さを異にする位置決めピンと嵌合した状態でディスクとカートリッジとの間に一定以上の距離が確保され、両者の接触を避けることができる。従って、ディスクとカートリッジとの接触による回転速度変動や傷によって発生する読取あるいは記録エラー、ディスク損傷が回避され、信頼性の高い記録再生装置が提供される。
【発明を実施するための最良の形態】
【００２３】
この発明の記録再生装置は、ディスク・カートリッジに収容された円盤状の記録媒体ディスクを回転軸に嵌合させて回転させ、情報を記録し、あるいは記録された情報を再生するための装置である。記録媒体ディスクの一例としては、音声信号やコンピュータで使用するデジタルデータ等を記録するＣＤや、さらに映像を記録するＤＶＤなどがあるが、これに限定されず、何らかの情報が記録されるディスクであればよい。
【００２４】
この発明の記録再生装置が記録再生の対象とするディスクの前記の例は、光あるいは光と磁気を用いて記録を行うものであるが、記録原理は特に上記に限定されず、例えば磁気のみを用いたものであってもよい。それを記録再生する装置は、それらの記録原理に対応したものであればよい。また、ディスクの材質も特に限定されす、例えばポリ・カーボネイトのような樹脂であってもよく、あるいはアルミニウムなどの金属であってもよい。
【００２５】
前記ディスク・カートリッジは、ユーザが使用に際してディスクをカートリッジ内に入れる使用形態のものであってもよいが、ディスクがカートリッジに入った状態で出荷され、ユーザがカートリッジからディスクを出し入れできない使用形態のものでもよい。また、カートリッジの材質は主としてＡＢＳなどの樹脂を用いることが好ましいが、樹脂以外の材質であってもよい。
【００２６】
この発明の記録再生装置は、その記録再生部本体が、高さを異にし、かつ高い方を装填側から遠方に配置し、ディスクの外径に対応する前記位置決め孔のみにそれぞれ嵌入可能な複数の位置決めピンを有しディスクの高さを前記回転軸に係合可能に一定に維持するカートリッジ支持部とを備えるが、前記カートリッジ支持部は、高さを異にし、かつ高い方を装填側から遠方に配置し、ディスクの外径に対応するカートリッジのみをそれぞれ載置支持可能な複数の支持ピンをさらに備えていてもよい。
こうすれば、支持ピンによってカートリッジを水平に維持することができる。
【００２７】
また、前記記録再生部本体は、複数サイズのディスク・カートリッジを挿入するための開口を有する挿入部をさらに備え、この挿入部の開口が、最も大きいカートリッジが挿入できる開口幅と最も大きいカートリッジが挿入できるがそれよりも小さいカートリッジが挿入できない開口高さとを有し、かつ最も大きいカートリッジより小さいカートリッジが開口中央でそれぞれ挿入できる高さ方向の凹段部を有し、開口の上下縁のいずれか一方または両方が開口中央に対して左右対称な階段状に形成されてもよい。
【００２８】
こうすれば、挿入部の開口が、最も大きいカートリッジより小さいカートリッジが開口中央でそれぞれ挿入できるように高さ方向の凹段部を有するので、各カートリッジを記録再生装置の所定位置から挿入して確実に装填し、内部のディスクを回転軸に正確に係合させることができ、操作性に優れ、信頼性の高い記録再生装置を得ることができる。
【００２９】
さらにまた、前記記録再生部本体は、複数サイズのディスク・カートリッジを少なくともディスクと平行な表面側もしくは裏面側の一方または両側から支持する支持部材をさらに備え、この支持部材が、各サイズのカートリッジ外形に対応した凹部を持つように形成され、各サイズのカートリッジが、その装填時にカートリッジ内部のディスクと回転軸とを係合させるように前記凹部によって案内あるいは位置決めされるように形成されてもよい。
【００３０】
こうすれば、各サイズのカートリッジが、その装填時にカートリッジ内部のディスクと回転軸とを係合させるように支持部材の凹部によって案内あるいは位置決めされるので、カートリッジを記録再生装置の正確な位置に案内あるいは位置決めして確実に装填することができ、操作性に優れ、信頼性の高い記録再生装置を得ることができる。
【００３１】
前記複数サイズが、大小１対のサイズであってもよい。
この発明の記録再生装置は、カートリッジを記録再生装置の挿入部にある開口部から装置内部に挿入し、ガイド等によって所定位置に案内して装填することが好ましいが、これに限定されず、例えば、装置に蓋状の部分が設け、その蓋を開けてカートリッジを所定位置に設置し、蓋を閉じると装填状態になるように構成してもよい。
【００３２】
また、この発明は、異なる外径の複数の記録媒体ディスクを収容し、所望により選択されて記録再生装置の記録再生部本体に装填される複数サイズのディスク・カートリッジの組み合せであって、各カートリッジが、厚みを小さい外径のディスクを収容するものほど大きくし、記録再生部本体に設けられる、高さを異にし、かつ高い方を装填側から遠方に配置したディスクの外径に対応する位置決めピンのみに嵌合し、それらによってディスクの高さを記録再生部本体に設けられる回転軸に係合可能に一定に維持可能な位置決め孔を有する複数サイズのカートリッジの組み合せを提供する。
【００３３】
この発明の前記ディスク・カートリッジを、前記記録再生装置に装填して用いることが好適である。
こうすれば、装填状態でディスクとカートリッジとの間に一定以上の距離が確保され、両者の接触を避けることができる。従って、接触による回転速度変動や傷によって発生する読取あるいは記録エラー、ディスク損傷が回避され、信頼性の高いディスク・カートリッジの組み合せが提供される。
【００３４】
以下、図面に示す実施形態に基づいてこの発明の実施例を説明する。
（実施の形態１）
この実施の形態は、例えば、コンパクトディスクのようなディスク状であり、かつ、記録再生可能な光ディスクを収容するカートリッジに関する。
図１はこの発明のディスク・カートリッジの実施形態を示す平面図である。また、図２は図１のカートリッジが記録再生部に装填された状態を示す断面図である。
【００３５】
図１は、外径１２０ｍｍの光ディスク（以下、大ディスクという）１を収容するカートリッジ（以下、大カートリッジという）２と外径８０ｍｍの光ディスク（以下、小ディスクという）３を収容するカートリッジ（以下、小カートリッジ）４をディスクの中心を一致させて示した平面図であり、大カートリッジを実線で示し、小カートリッジを想像線（二点鎖線）で示している。二つのカートリッジの重なりは、それらのカートリッジが記録再生部に装填された状態と同じである。図１は、従来の技術を示す図９に対応している。
【００３６】
図２（ａ）および（ｂ）は、前記の各カートリッジが記録再生部５に装填された状態を示す断面図である。各カートリッジの断面は、図１の線Ａ−Ａ’に対応している。図に示すように、記録再生部５のディスク回転軸９は、大ディスク１および小ディスク３の中心孔にそれぞれ嵌合している。記録再生部５に装填された大カートリッジ２および小カートリッジ４の高さ方向の位置関係を比較するために、小カートリッジ４の装填基準面高さを両図中の線Ｂ−Ｂ’で示している。図２は、従来の技術を示す図１０（ａ）および（ｂ）にそれぞれ対応している。
【００３７】
記録再生部５に大ディスク１を収容した大カートリッジ２を装填する場合、大カートリッジ２は、図示しないローディングメカによって装填位置まで案内された後、大カートリッジ用位置決めピン６が大カートリッジ２に設けられたピン孔と嵌合してカートリッジが位置決めされ、ディスク中心孔８が記録再生部５の回転軸９と嵌合して所定の装填位置に固定される。
【００３８】
従来の技術と同様、大カートリッジ２が、小カートリッジ用位置決めピン７と衝突して、それによるガタツキを発生させないために、小カートリッジ用位置決めピン７は大カートリッジ用位置決めピン６の高さよりも基準高さが低く設置されている。
一例では、小カートリッジ４の厚さは８．５ｍｍ、大カートリッジ２の厚さは８ｍｍであり、小カートリッジ用位置決めピン７に設置された小カートリッジ下面に当接する小カートリッジ用位置決めピン７の基準面は大カートリッジ用位置決めピン６に設置された大カートリッジ下面に当接する大カートリッジ用位置決めピン６の基準面の高さよりも０．５ｍｍ低く設定される。また、小カートリッジを位置決めする際に用いる位置決めピン７の先端は０．３ｍｍ程度の突き出し量を有し、０．３ｍｍの部分が小カートリッジ内に嵌合した状態で位置決めされる。さらに小カートリッジ位置決めピン７の先端部は、ばね等で浮上させた状態で嵌合する手段を用いると突き出し量は０．３ｍｍ以下の制限を受けない。
【００３９】
ディスクを交換するために、大カートリッジ２を記録再生部５から抜き去り、小カートリッジ４を同記録再生部５に装填すると、小カートリッジ４は、図示しないローディングメカによって装填位置に案内される。その後、小カートリッジ用位置決めピン７の先端部が小カートリッジ４に設けられたピン孔と嵌合してカートリッジが位置決めされ、ディスク中心孔８が記録再生部５の回転軸９と嵌合して所定の装填位置に固定される。
【００４０】
小カートリッジ用位置決めピン７は、大カートリッジ用位置決めピン６よりも高さを低く設置してあるために、装填した状態では小カートリッジ４の下面即ち装填基準面Ｂ−Ｂ’は、大カートリッジ２を装填した場合の大カートリッジ２の下面よりも低い位置に装填されるが、下面が低くなっても上面が大カートリッジ２と同じ高さになるように小カートリッジ４の厚さを厚くすることで、小ディスク３の上面と小カートリッジ４の上面内側のクリアランスが確保される。即ち、小カートリッジ４の下面が大カートリッジ２の装着基準面Ｂ−Ｂ’より下がった位置に装填されても、小ディスク３と小カートリッジ４の上面とに一定のクリアランスが確保でき、小ディスク３と小カートリッジ４が衝突することを避けることができる。
大ディスク１と小ディスク３それぞれのディスク中心孔８の形状および大きさは同じであることが好ましいが、異なっていてもそれぞれのディスクの中心孔８と回転軸９とが嵌合できるようになっていればよい。その場合のそれぞれのディスク中心孔８の大きさおよび形状は特に限定されない。
【００４１】
（実施の形態２）
この実施の形態は、実施の形態１のようにサイズと厚さの異なるカートリッジを同一装置に装填して使用する記録再生装置の挿入部の開口形状に関する。
図３は、図１および図２に示す大カートリッジ２および小カートリッジ４に適用可能な記録再生装置２７が備える挿入部、即ちベゼル２１の開口形状を示す斜視図である。
【００４２】
記録再生装置２７のベゼル２１は、開口部の凸部の高さを実施の形態１の小カートリッジ４の厚さに対応させ、開口部の凸部の幅を小カートリッジ４の幅に対応させることで、使用者が迷うことなく、容易にベゼル２１の中心目掛けて、小カートリッジ４を挿入することができ、また挿入時に小カートリッジ４の挿入位置が所定位置に規制されるようにしている。そして、ベゼル２１の開口部形状が、図３のように形成されることにより、カートリッジが、図２（ａ）および（ｂ）に示す装着状態にスムーズに装填される。
図４は、前記ベゼルの開口部形状に関する異なる実施形態を示す斜視図である。図３に示すベゼル２１は、上側に凸の形状を施しているのに対して、図４のベゼル２２は、下側に凸の形状を施しているが、前記と同様の効果が得られる。
【００４３】
図２（ａ）および（ｂ）に示す記録再生部５では、小カートリッジ用位置決めピン７が大カートリッジ用位置決めピン６よりも低く設計されている。従って、小カートリッジ４が大カートリッジ２よりも低い位置で挿入される図４のベゼル２２の形状であっても、小カートリッジ４が挿入時に小カートリッジ用位置決めピン７に当たることなく奥まで挿入された後に装填位置へ降下するように設計することができる。あるいは、記録再生部５が下部で待機した状態で小カートリッジ４が奥まで挿入され、その後に記録再生部５が所定位置まで上昇するように設計することもできる。図３のベゼル２１の形状では、小カートリッジ４は大カートリッジ２と同じ高さから降下して位置決めピン７と勘合するので、挿入時に小カートリッジ４が位置決めピン７と当たる懸念は全くない。図３に示す実施形態の場合は、小カートリッジ４が奥まで挿入された後に降下する距離は、大カートリッジ２が挿入された場合よりも長い。あるいは、記録再生部５が移動する場合は、小カートリッジ４が挿入された後に記録再生部５が装填状態まで上昇する距離が、大カートリッジ２が挿入された場合の距離よりも長い。
【００４４】
図３または図４に示すベゼル凸部の形状は、カートリッジのサイズによる厚さの差よりも段差を大きくしてもよい。このようにすれば、カートリッジを操作する操作者に対する視認性を上げることができ、操作者はサイズに応じたカートリッジの挿入位置を容易に認識して挿入することができる。ベゼル２１または２２の開口部の段差が大きくなり、カートリッジの降下距離あるいは記録再生部５の移動距離が長くなっても、経路に沿ったガイド等が設けられて移動を規制する構造を有しておれば装填上の問題はなく、カートリッジはスムーズに装填される。
【００４５】
図３および図４を合わせた形状、即ち、大カートリッジ２の幅を有する開口部の略中央部の縁の上下それぞれに小カートリッジ４の厚さに合わせた凸型の形状を設置し略十文字の開口することも可能であり、下部に逆凸型形状を施し、記録再生装置内の小カートリッジ４の装填位置が近づくことによって、記録再生装置のローディング機構の設計が容易になると共に、上部の凸型形状により、操作における視認性が向上するという効果も期待できる。
【００４６】
（実施の形態３）
この実施の形態は、実施の形態１のようにサイズと厚さの異なるカートリッジを記録再生装置の内部で支持する支持部材の形状に関する。
図５のガイド２３は、図１および図２に示す大カートリッジ２および小カートリッジ４に適用可能な記録再生装置２９が備えるガイド２３の形状を示す斜視図である。また、図５は図３のベゼル２１の形状に対応している。
【００４７】
記録再生装置２９の内部に設けられたガイド２３を、断面が凸状になるように形成し、凸部の高さを大カートリッジ２と小カートリッジ４の厚さの差に対応させ、凸部の幅を小カートリッジ４の幅に対応させることで、小カートリッジ４は、幅方向にずれることなく、収容されたディスク３の中心を記録再生装置２９内部の図示しない記録再生部の回転軸と一致させて装填することができる。また、奥行き方向に対して凸部を設ける終端位置が、小カートリッジ４が奥まで挿入された状態でディスク中心と記録再生装置２９内部の図示しない記録再生部の回転軸とが一致するように設定されている。
【００４８】
また、図６に示すようにガイド２４の下部に凹状の形状を施すことも、同様の効果が得られる。図６のガイド２４は、図４のベゼル２２の形状に対応している。図６の記録再生装置３０内部の小ディスク用位置決めピン７は小カートリッジ用位置決めピン７が大カートリッジ用位置決めピン６よりも低く設計されているので、小カートリッジ４が大カートリッジ２よりも低い位置で挿入される図６のガイド２４の形状であっても、小カートリッジ４が挿入時に小カートリッジ用位置決めピン７に当たることなく奥まで挿入された後に装填位置へ降下するように設計することができる。あるいは、記録再生部５が下部で待機した状態で小カートリッジ４が奥まで挿入され、その後に記録再生部５が所定位置まで上昇するように設計することもできる。図５のガイド２３の形状では、小カートリッジ４は大カートリッジ２と同じ高さから降下して位置決めピン７と勘合するので挿入時に小カートリッジ４が位置決めピン７に当たる懸念は全くない。図５に示す実施形態の場合は、小カートリッジ４が奥まで挿入された後に降下する距離は、大カートリッジ２が挿入された場合よりも長い。あるいは、記録再生部５が移動する場合は、小カートリッジ４が挿入された後に記録再生部５が装填状態まで上昇する距離が、大カートリッジ２が挿入された場合の距離よりも長い。
なお、ガイド２３または２４の上下面それぞれに外部へ向けて凸状の加工を施すことも可能であり、前記略十文字形のベゼルを使用した場合に、適用できる。
【００４９】
図７および図８はガイドの別の実施形態を示す斜視図である。この実施形態は、断面がカートリッジを包み込むような形状ではなく、ディスク・カートリッジの上部または下部に板状の部材を当ててカートリッジを案内するガイドである。図７のガイド２５はカートリッジの上部にガイド部材を当てて案内する例である。ガイド２５の案内方向に直角な断面の中央部には、小カートリッジ４を支持する部分が大カートリッジ２よりも厚くなるように上側に向けて凸部が形成されており、小カートリッジ４が幅方向にずれることなく、記録再生装置３１内部の図示しない記録再生部の回転軸と小ディスクの位置を正しく装填することを可能にしている。また、奥行き方向に対して凸部を設ける位置の終端が、小カートリッジ４が奥まで挿入された状態でディスク中心と記録再生装置３１内部の図示しない記録再生部の回転軸とが一致するように設定されている。
【００５０】
図８のガイド２６はカートリッジの下部にガイド部材を当てて案内する例である。ガイド２６の案内方向に直角な断面の中央部には、小カートリッジ４を支持する部分が大カートリッジ２よりも厚くなるように下側に向けて凸部が形成されており、小カートリッジ４が幅方向にずれることなく、記録再生装置３２内部の図示しない記録再生部の回転軸と小ディスクの位置を正しく装填することを可能にしている。また、奥行き方向に対して凸部を設ける位置の終端が、小カートリッジ４が奥まで挿入された状態でディスク中心と記録再生装置３２の図示しない記録再生部の回転軸とが一致するように設定されている。
【図面の簡単な説明】
【００５１】
【図１】この発明のディスク・カートリッジの実施形態を示す平面図である。
【図２】この発明のディスク・カートリッジを記録再生部に装填した状態を示す断面図である。
【図３】この発明の記録再生装置が備えるディスク・カートリッジ挿入部（ベゼル）の開口形状を示す斜視図である。
【図４】この発明の記録再生装置が備えるディスク・カートリッジ挿入部（ベゼル）の異なる開口形状を示す斜視図である。
【図５】この発明の記録再生装置が備えるガイドの第１の形状を示す斜視図である。
【図６】この発明の記録再生装置が備えるガイドの第２の形状を示す斜視図である。
【図７】この発明の記録再生装置が備えるガイドの第３の形状を示す斜視図である。
【図８】この発明の記録再生装置が備えるガイドの第４の形状を示す斜視図である。
【図９】従来の外径が異なるディスク・カートリッジを記録再生装置に装填した時の概念図
【図１０】従来のカートリッジが記録再生部に装填された状態を示す断面図である。
【図１１】従来の記録再生装置が備える挿入部（ベゼル）の開口形状及びガイドの形状を示す斜視図である。
【符号の説明】
【００５２】
１  大ディスク
２  大カートリッジ
３  小ディスク
４  小カートリッジ
５  記録再生部
２７〜３２  記録再生装置
６  大カートリッジ用位置決めピン
７  小カートリッジ用位置決めピン
８  ディスク中心孔
９  記録再生部の回転軸
１０  ディスク収容部
２１、２２  ディスク・カートリッジ挿入部（ベゼル）
２３〜２６  ガイド
１０１  従来の大ディスク
１０２  従来の大カートリッジ
１０３  従来の小ディスク
１０４  従来の小カートリッジ
１０５  従来の記録再生部
１２７  従来の記録再生装置
１０６  従来の大カートリッジ用位置決めピン
１０７  従来の小カートリッジ用位置決めピン
１０８  従来のディスク中心孔
１０９  従来の記録再生部の回転軸
１２１  従来のベゼル
１２２  従来のガイド
【図１】
2005174463.tif 000003
【図２】
2005174463.tif 000004
【図３】
2005174463.tif 000005
【図４】
2005174463.tif 000006
【図５】
2005174463.tif 000007
【図６】
2005174463.tif 000008
【図７】
2005174463.tif 000009
【図８】
2005174463.tif 000010
【図９】
2005174463.tif 000011
【図１０】
2005174463.tif 000012
【図１１】
2005174463.tif 000013